【手続補正書】
【提出日】平成21年3月13日(2009.3.13)
【手続補正１】
【補正対象書類名】特許請求の範囲
【補正対象項目名】全文
【補正方法】変更
【補正の内容】
【特許請求の範囲】
【請求項１】
射出ユニット（５２）からホットランナー（２２）への溶融材料の流れを制御すべく配置されて構成されているバルブコントロール組立体（３００）であって、前記バルブコントロール組立体（３００）は、
射出ユニット（５２）とホットランナー（２２）との間に配置すべく構成されたバルブプランジャー（３４）であって、流通通路（３７）とパージ通路（３５）とを有しているような前記バルブプランジャー（３４）と、
（ｉ）溶融材料が流通通路（３７）を通って流れる溶融材料流通位置と、（ｉｉ）流通通路（３７）を通って流れる溶融材料が遮断される溶融材料遮断位置と、（ｉｉｉ）射出ユニットをホットランナー（２２）から切り離さずに、溶融材料がパージ通路（３５）を通って流れる溶融材料パージ位置との間において、前記バルブプランジャー（３４）の位置を制御すべく構成された構造部（８０，８４，４００）とを備えるバルブコントロール組立体（３００）であって、
制御のために構成された前記構造部（８０，８４）は、
前記バルブプランジャー（３４）を、溶融材料流通位置と、溶融材料遮断位置と、溶融材料パージ位置との間において移動させる第１のピストン（８０）と、
前記第１のピストンの移動を制御すべく構成されたコントローラ（４００）と、
溶融材料流通位置および溶融材料遮断位置において、前記第１のピストンの移動を減少させるような第２のピストンとを備え、
前記コントローラ（４００）は、前記第２のピストンの移動を制御することを特徴とするバルブコントロール組立体（３００）。
【請求項２】
請求項１に記載のバルブコントロール組立体（３００）であって、
前記パージ通路（３５）は、溶融材料を、溶融材料の流れ方向に対して垂直な方向に導くようになっていることを特徴とするバルブコントロール組立体（３００）。
【請求項３】
請求項１に記載のバルブコントロール組立体（３００）であって、
前記バルブプランジャー（３４）は、射出ユニット（５２）とホットランナー（２２）との間に結合される分配ブロック（２０）に配置されていることを特徴とするバルブコントロール組立体（３００）。
【請求項４】
請求項１に記載のバルブコントロール組立体（３００）であって、
前記第１のピストン（８０）は、前記バルブプランジャー（３４）を動作させるべく構成されたロッド延長部（８２）を備え、前記第２のピストン（８４）は、前記第１のピストン（８０）の移動を制御すべく、ロッド延長部（８２）に対してスペーサブロック（８６）を押圧するようになっていることを特徴とするバルブコントロール組立体（３００）。
【請求項５】
請求項４に記載のバルブコントロール組立体（３００）であって、
前記ロッド延長部（８２）を冷却するように構成された、冷却ブロック（８７）をさらに備えていることを特徴とするバルブコントロール組立体（３００）。
【請求項６】
請求項１に記載のバルブコントロール組立体（３００）であって、
前記バルブプランジャー（３４）は、射出ユニット（５２）とランナーシステム（２２）との間に結合された分配ブロック（２０）に配置され、前記第１のピストン（８０）を保持するように構成された第１のシリンダ（８１）をさらに備え、前記第１のシリンダ（８１）は分配ブロック（２０）に固定して結合されていることを特徴とするバルブコントロール組立体（３００）。
【請求項７】
請求項１に記載のバルブコントロール組立体（３００）であって、
射出ユニット（５２）とホットランナー（２２）との間に結合された分配ブロック（２０）をさらに備え、前記分配ブロック（２０）は自己整列式の関節ジョイント（２００）を具備し、前記バルブプランジャー（３４）は、前記関節ジョイント（２００）に隣接して配置されていることを特徴とするバルブコントロール組立体（３００）。
【請求項８】
請求項１に記載のバルブコントロール組立体（３００）であって、該ホットランナー（２２）は、可動なホットランナーを備えていることを特徴とするバルブコントロール組立体（３００）。
【請求項９】
請求項１に記載のバルブコントロール組立体（３００）であって、該ホットランナー（２２）は、標準的なコールドランナーを備えていることを特徴とするバルブコントロール組立体（３００）。
【請求項１０】
請求項１に記載のバルブコントロール組立体（３００）であって、該ホットランナー（２２）は、標準的なホットランナーを備えていることを特徴とするバルブコントロール組立体（３００）。
【請求項１１】
請求項１に記載のバルブコントロール組立体（３００）であって、さらに、
射出ユニット（５２）と該ホットランナー（２２）との間に配置され、内部に溶融物通路を有する分配ブロック（２０）と、
該分配ブロック（２０）の内部に配置され、溶融物流通位置と、溶融物遮断位置と、溶融物パージ位置との間において可動に構成されたバルブプランジャー（３４）であって、前記バルブプランジャー（３４）は、該分配ブロックの溶融物通路から該ホットランナー（２２）への溶融物の流れを許容すべく構成される流通流路（３７）を有し、前記バルブプランジャーは、該分配ブロックを該射出ユニット（５２）および該ホットランナー（２２）のいずれからも切り離さずに、該分配ブロック（２０）の該溶融物通路から該分配ブロック（２０）の外部への溶融物の流れを許容すべく構成されるパージ通路（３５）を有することを特徴とするバルブコントロール組立体（３００）。
【請求項１２】
請求項１１に記載のバルブコントロール組立体（３００）であって、
前記第１のピストン（８０）と第２のピストン（８４）とは、空気圧式のピストンから構成されていることを特徴とするバルブコントロール組立体（３００）。
【請求項１３】
請求項１１に記載のバルブコントロール組立体（３００）であって、さらに、
該分配ブロック（２０）に配置され、該分配ブロック（２０）の該溶融物通路から該ホットランナーへと溶融物を送るように構成される関節ジョイントを備えていることを特徴とするバルブコントロール組立体（３００）。
【請求項１４】
請求項１３に記載のバルブコントロール組立体（３００）であって、該関節ジョイントは、
第１の球面（２３）と第２の球面（２４）とを有し、内部に溶融物通路（２０２）を有するジョイントであって、画おジョイントは、該分配ブロック（２０）と該ホットランナー（２２）との一方に固定して結合されている該ジョイントと、
第１の凹面パッド（２５）および第２の凹面パッド（２６）であって、それぞれは該第１の球面（２３）および該第２の球面（２４）と接触し、これらの球面に対して可動に構成され、該第１の凹面パッド（２５）および該第２の凹面パッド（２６）のうち少なくともひとつは、該分配ブロック（２０）と該ホットランナー（２２）との他方に対して固定して結合され、前記少なくともひとつの該第１の凹面パッドおよび該第２の凹面パッドは、前記ジョイントの溶融物通路に流体的に連通すべく構成されたパッド溶融物通路（３１）を有している該第１の凹面パッド（２５）および該第２の凹面パッド（２６）と、
を備えていることを特徴とするバルブコントロール組立体（３００）。
【請求項１５】
請求項１４に記載のバルブコントロール組立体（３００）であって、該関節ジョイントは、該第１および該第２の凹面パッドに対して、１５度までの屈曲をするような関節になっていることを特徴とするバルブコントロール組立体（３００）。